(57)【要約】【課題】  所定サイズの収納部に対してサイズの異なる製品をガタつきなく収納できるようにする。【解決手段】  容器内が複数の収納部１２に区画されている容器本体を備える梱包容器において、収納袋３０に袋詰めされた被梱包物Ｐを収納袋３０を介して支持した状態で収納部１２内に挿入される四角形状の一枚の板材からなる当て板１００を備え、当て板１００には３本の折り曲げ線Ｌ１，Ｌ２，Ｌ３を介して支持板部１１０，底板部１２０，背板部１３０および蓋板部１４０が設けられており、支持板部１１０に袋詰めされた被梱包物Ｐを結束バンド２００で固定し、上記各部分を上記折り曲げ線により折り曲げて蓋板部１４０を支持板部１１０に被せた状態として収納部１２内に入れる。【選択図】  図６
2005075388.tif 000002
【特許請求の範囲】
【請求項１】
容器内が格子状の仕切板によって四角筒状をなす複数の収納部に区画されている容器本体を含み、上記収納部内に被梱包物が収納される梱包容器において、
収納袋に袋詰めされた上記被梱包物を上記収納袋を介して支持した状態で上記収納部内に挿入される四角形状の一枚の板材からなる当て板を備え、上記当て板にはその一端側から他端側にかけて第１ないし第３の３本の折り曲げ線がともに谷折り線もしくは山折り線のいずれかとして互いに平行に形成されており、
上記当て板の一端から上記第１折り曲げ線までの間が上記袋詰めされた上記被梱包物を支持する支持板部、上記第１折り曲げ線と上記第２折り曲げ線との間が上記収納部の底部に落とし込まれる底板部、上記第２折り曲げ線と上記第３折り曲げ線との間が上記底板部に対してほぼ直角に折り曲げられる背板部、上記第３折り曲げ線と他端との間が上記支持板部に被せられるように折り曲げられる蓋板部であることを特徴とする梱包容器。
【請求項２】
上記袋詰めされた上記被梱包物を上記支持板部に固定するための結束バンドをさらに備えている請求項１に記載の梱包容器。
【請求項３】
上記収納部の縦幅をａ，横幅をｂとして、上記当て板は対向する２辺が上記横幅ｂにほぼ等しい四角形状の板材からなり、上記第１折り曲げ線と上記第２折り曲げ線との間隔が上記縦幅ａにほぼ等しくされている請求項１または２に記載の梱包容器。
【請求項４】
上記収納袋には帯電防止処理が施されている請求項１，２または３に記載の梱包容器。
【発明の詳細な説明】
【技術分野】
【０００１】
本発明は、物品の搬送時や保管時などに箱詰めするための梱包容器に関し、さらに詳しく言えば、特に液晶表示素子などのパネル状物品に好適で、各種の製品サイズのものに使用できる汎用性の高い梱包容器に関するものである。
【背景技術】
【０００２】
製品の種類によって異なるが、例えば液晶表示素子などの電子部品を搬送するにあたっては特に耐衝撃性および耐静電気性が重視される。そのためには、製品サイズに適合した耐衝撃性，耐静電気性に優れた梱包容器を個別的に用意することがもっとも好ましいが、調達コストからすると現実的ではない。そこで、できるだけ既存の梱包容器で間に合わせるようにしており、その従来技術の一例として、図７に液晶表示素子（液晶モジュール）用の梱包容器を示し、これについて説明する（例えば、特許文献１参照）。
【０００３】
この例における梱包容器は、ともにダンボール材からなる中箱１０と外箱２０の二重構造で、中箱１０の内部は格子状の仕切板１１によって四角筒状をなす複数の収納部１２に区画されている。液晶モジュールＰはガラス基板を備えているため帯電しやすく、帯電すると表示に悪影響がでる。また、振動や衝撃にも弱い。
【０００４】
そこで、箱詰めする際には液晶モジュールＰを大きめの帯電防止袋３０内に入れて、図中に鎖線で示す縦線と横線に沿って矢印Ａ，Ｂ方向に帯電防止袋３０を液晶モジュールＰの大きさに折り畳んで収納部１２内に収納する。そして、液晶モジュールＰがガタつかないように、図示しない例えばウレタンや発泡スチロールなどの詰め物で液晶モジュールＰを固定する。
【０００５】
これによれば、液晶モジュールＰの帯電を防止しつつ、搬送時の振動や衝撃から保護できるが、次のような問題がある。すなわち、ガタつき防止の詰め物を必要とし、しかも収納部１２に対して液晶モジュールＰのサイズが小さい場合には、その使用量が多くなるため、開梱する側において多量の詰め物を廃棄物として処理しなければならず環境上好ましくない。
【０００６】
多量の詰め物が廃棄物として出ないようにするには、収納部１２の大きさの異なる仕切板１１を何種類か用意し、その中から梱包する製品サイズにもっとも近い仕切板１１を選択できるようにすればよいのであるが、このようにすると、その分コスト負担および在庫量が増えるので好ましくない。
【特許文献１】特開２００１−１９０４２号公報
【発明の開示】
【発明が解決しようとする課題】
【０００７】
したがって、本発明の課題は、所定サイズの収納部に対してサイズの異なる製品をガタつきなく収納することができ、しかも繰り返し使用可能である製品（物品）支持手段を備えた梱包容器を提供することにある。
【課題を解決するための手段】
【０００８】
上記課題を解決するため、本発明は、容器内が格子状の仕切板によって四角筒状をなす複数の収納部に区画されている容器本体を含み、上記収納部内に被梱包物が収納される梱包容器において、収納袋に袋詰めされた上記被梱包物を上記収納袋を介して支持した状態で上記収納部内に挿入される四角形状の一枚の板材からなる当て板（製品支持手段）を備え、上記当て板にはその一端側から他端側にかけて第１ないし第３の３本の折り曲げ線がともに谷折り線もしくは山折り線のいずれかとして互いに平行に形成されており、上記当て板の一端から上記第１折り曲げ線までの間が上記袋詰めされた上記被梱包物を支持する支持板部、上記第１折り曲げ線と上記第２折り曲げ線との間が上記収納部の底部に落とし込まれる底板部、上記第２折り曲げ線と上記第３折り曲げ線との間が上記底板部に対してほぼ直角に折り曲げられる背板部、上記第３折り曲げ線と他端との間が上記支持板部に被せられるように折り曲げられる蓋板部であることを特徴としている。
【０００９】
本発明には、上記袋詰めされた上記被梱包物を上記支持板部に固定するための結束バンドをさらに備えている態様が含まれる。また、上記収納部の縦幅をａ，横幅をｂとして、上記当て板は対向する２辺が上記横幅ｂにほぼ等しい四角形状の板材からなり、上記第１折り曲げ線と上記第２折り曲げ線との間隔が上記縦幅ａにほぼ等しくされていることも、本発明の特徴の一つである。上記被梱包物が帯電を嫌う例えば液晶モジュールである場合、上記収納袋には帯電防止処理が施されていることが好ましい。
【発明の効果】
【００１０】
本発明によれば、被梱包物は当該梱包容器の一部として含まれている上記当て板を介して上記収納部内に収納されるため、上記被梱包物の大きさにかかわらずその固定手段として同一の当て板を使用することができ、上記従来例のように、上記被梱包物の大きさによって詰め物の使用量が変わることはない。しかも、上記当て板は繰り返し使用可能であるため、廃棄物の問題も生じない。
【発明を実施するための最良の形態】
【００１１】
次に、図１ないし図６を参照して、本発明の実施形態について説明するが、本発明はこれに限定されるものではない。図１は本発明の梱包容器に含まれる当て板を展開した状態で示す平面図、図２は上記当て板の組立図を容器本体側の収納部とともに示す斜視図、図３ないし図６は被梱包物の収納手順を示す説明図である。
【００１２】
本発明において、容器本体はその内部が先の図７で説明した格子状の仕切り板１１にて複数の収納部１２に区画されていればよく、必ずしも上記従来例のように中箱１０と外箱２０とを備えている必要はない。
【００１３】
図３に示すように、この実施形態での被梱包物は上記従来例と同じく液晶モジュールＰであり、液晶モジュールＰは帯電防止袋３０に袋詰めされた状態で当て板１００に支持され、当て板１００を介して容器本体の収納部１２内に収納される。
【００１４】
図１に示すように、当て板１００は四角形状の一枚の板材からなる。材質はダンボール材が好ましいが、ダンボール材と同等もしくはそれ以上の硬さを有するものであれば、他の紙材や合成樹脂材であってもよい。図２に示すように、収納部１２の縦幅をａ，横幅をｂとすると、当て板１００は対向する２辺１０１，１０２が上記横幅ｂにほぼ等しい幅であることが好ましい。
【００１５】
当て板１００には、一端側の辺１０１から他端側の辺１０２にかけて第１ないし第３の３本の折り曲げ線Ｌ１〜Ｌ３がそれらの各辺１０１，１０２と平行に形成されている。折り曲げ線Ｌ１〜Ｌ３はともに谷折り線もしくは山折り線のいずれかであり、この例では図１において当て板１００を紙面手前側の折り曲げ可能とする谷折り線としている。
【００１６】
当て板１００の一端側の辺１０１から第１折り曲げ線Ｌ１までの間が帯電防止袋３０に袋詰めされた液晶モジュールＰを支持する支持板部１１０、第１折り曲げ線Ｌ１と第２折り曲げ線Ｌ２との間が収納部１２の底部に落とし込まれる底板部１２０、第２折り曲げ線とＬ２と第３折り曲げ線Ｌ３との間が底板部１２０に対してほぼ直角に折り曲げられる背板部１３０、第３折り曲げ線Ｌ３と他端側の辺１０２との間が支持板部１１０に被せられるように折り曲げられる蓋板部１４０である。
【００１７】
底板部１２０は襠（まち）となる部分で、その幅は収納部１２の縦幅ａにほぼ等しいことが好ましい。また、蓋板部１４０を支持板部１１０に被せるように折り曲げ可能とするため、背板部１３０は支持板部１１０よりも大きな長さを有する。すなわち、第２折り曲げ線とＬ２と第３折り曲げ線Ｌ３との間の距離は、一端側の辺１０１から第１折り曲げ線Ｌ１までの距離よりも長い。背板部１３０の長さは収納部の深さとほぼ等しいことが好ましい。なお、被梱包物が分厚いような場合、それに対応するため蓋板部１４０に襠を設けてもよい。
【００１８】
次に、この当て板１００を用いての液晶モジュールＰの収納手順の一例について説明する。まず、図３（ａ）の平面図およびその側面図である図３（ｂ）に示すように、液晶モジュールＰを帯電防止袋３０に袋詰めして支持板部１１０上に載置する。この場合、帯電防止袋３０には大きめの袋、特に好ましくは液晶モジュールＰの大きさ（幅）の２倍程度の袋を用いるが、図７に示す上記従来例の矢印Ａ方向のみに帯電防止袋３０を液晶モジュールＰの大きさに合わせて折り畳み、液晶モジュールＰを袋の底部に落とし込んだ状態とし、袋の開口部側が支持板部１１０からはみ出すようにする。なお、液晶モジュールＰが第１折り曲げ線Ｌ１に接するように載置することが好ましい。
【００１９】
次に、図４に示すように、帯電防止袋３０のはみ出した部分を支持板部１１０の裏側（図４において下側）に折り返し、その折り返し部分と液晶モジュールＰとに例えば輪ゴムなどの結束バンド２００を掛けて液晶モジュールＰを支持板部１１０に固定する。
【００２０】
次に、図５に示すように、第１折り曲げ線Ｌ１，第２折り曲げ線Ｌ２を矢印Ｃ，Ｄ方向に折り曲げて底板部１２０を作るとともに、底板部１２０に対して背板部１３０をほぼ直角に起立させる。そして最後に、第３折り曲げ線Ｌ３から蓋板部１４０を矢印Ｅ方向に折り曲げて支持板部１２０に被せたのち、図６に示すように収納部１２内に挿入する。
【００２１】
上記したように、当て板１００の幅（辺１０１，１０２側の幅）は収納部１２の横幅ｂとほぼ等しく、また、底板部１２０の幅は収納部１２の縦幅ａとほぼ等しいため、当て板１００が収納部１２内にきっちりと収まり、また、液晶モジュールＰが結束バンド２００にて支持板部１１０に固定されているため、液晶モジュールＰが搬送時の振動や衝撃から保護される。
【産業上の利用可能性】
【００２２】
本発明は被梱包物が液晶モジュールのようなパネル部材である場合に好適であるが、本発明は被梱包物が例えば箱体状や瓶などであっても適用可能である。
【図面の簡単な説明】
【００２３】
【図１】本発明の梱包容器が備える当て板を展開して示す平面図。
【図２】上記当て板の組立図を容器本体側の収納部とともに示す斜視図。
【図３】（ａ）上記当て板の支持板部に液晶モジュール（被梱包物）を載置した状態を示す平面図、（ｂ）その側面図。
【図４】上記当て板の支持板部に結束バンドを掛けた状態を示す側面図。
【図５】組み立てられた上記当て板を示す側面図。
【図６】組み立てられた上記当て板を収納部に入れた状態を示す模式図。
【図７】従来例を示す分解斜視図。
【符号の説明】
【００２４】
１２  容器本体の収納部
３０  帯電防止袋（収納袋）
１００  当て板
１１０  支持板部
１２０  底板部
１３０  背板部
１４０  蓋板部
２００  結束バンド
Ｐ  液晶モジュール（被梱包物）
Ｌ１  第１折り曲げ線
Ｌ２  第２折り曲げ線
Ｌ３  第３折り曲げ線
【図１】
2005075388.tif 000003
【図２】
2005075388.tif 000004
【図３】
2005075388.tif 000005
【図４】
2005075388.tif 000006
【図５】
2005075388.tif 000007
【図６】
2005075388.tif 000008
【図７】
2005075388.tif 000009